(57)【要約】【課題】縦長形状の燃料タンクであっても正確に燃料残量を検出できるようにする。【解決手段】燃料タンク１１の内側に燃料センサ１２を固設し、該燃料センサ１２にアーム１３を回動可能に装着するとともに、このアーム１３の先端にフロート１４を取り付ける。前記アーム１３は、燃料センサ１２を取り付けた燃料タンク１１の第１の内側面１１ａに対して、平面視で所定の傾斜角ηを有して配設されている。このため、アーム１３の長さを燃料タンク１１の幅Ｌよりも長くすることができ、フロート１４の上下移動範囲が長くなり、燃料残量の計測範囲が拡大される。【選択図】  図２
2004325081.tif 000002
【特許請求の範囲】
【請求項１】
燃料タンクの内側に上下回動可能に配設されたアームであって、該アームの先端部にフロートを装着するとともに、該アームの基端部にアームの上下回動角を検出するセンサを設け、前記センサを取り付けた燃料タンクの第１の内側面に対して、前記アームが平面視で所定の傾斜角を有して配設されたことを特徴とする燃料残量検出装置。
【請求項２】
上記燃料タンクの第１の内側面と隣接する第２の内側面により形成される第１角部近傍に上記センサを固設し、該センサに取り付けたアームを略対角状に配設し、該アームが水平状態のときに、該アーム先端部のフロートが前記第１角部の対角線上の第２角部に近接するようにアームの長さを設定した請求項１記載の燃料残量検出装置。
【請求項３】
上記センサを上記第１角部に近接して取り付け、上記アームを第１角部と第２角部の略対角線上に配設した請求項１または２記載の燃料残量検出装置。
【発明の詳細な説明】
【０００１】
【発明の属する技術分野】
本発明は燃料残量検出装置に関するものであり、特に、縦長形状の燃料タンクにも使用可能な燃料残量検出装置に関するものである。
【０００２】
【従来の技術】
図４及び図５は、従来の一般的な建設機械の燃料残量検出装置を示し、燃料タンク１内には、可変抵抗器等からなる燃料センサ２が固設されており、該燃料センサ２にアーム３を回動可能に装着するとともに、このアーム３の先端にフロート４を取り付けてある。燃料タンク１内に充填されている燃料の増減によりフロート４が上下動し、その浮力により前記アーム３がある決められた角度範囲θで回動する。その際に、フロート４が燃料タンク１の内壁に干渉しないように、燃料タンクの幅Ｌに応じてアーム３の長さが決定される。
【０００３】
而して、燃料残量が小のときは前記フロート４が低位置にあり、燃料残量が大のときは前記フロート４が高位置に移動するので、アーム３の回動角度の変化が燃料センサ２の抵抗値の変化となり、コントローラ５は該抵抗値を検出して燃料タンク１内の燃料残量を演算し、この演算結果を表示装置６に表示するように構成されている（例えば特許文献１参照）。
【０００４】
【特許文献１】
特開２００２−１０３９９５号公報（第４頁、図２及び図３）。
【０００５】
【発明が解決しようとする課題】
従来の此種建設機械の燃料残量検出装置は、燃料センサの抵抗値からコントローラが燃料残量を演算しているが、小型の建設機械では搭載スペースの関係から、幅（または奥行き）を狭くした縦長形状の燃料タンクが多くなっている。その際、燃料タンクの内壁に干渉しないように短いアームを使用するため、燃料残量が最小の状態から最大の状態までの一部の範囲にしか、燃料残量を正確に検出することができない。
【０００６】
そこで、縦長形状の燃料タンクであっても正確に燃料残量を検出できるようにするために解決すべき技術的課題が生じてくるのであり、本発明はこの課題を解決することを目的とする。
【０００７】
【課題を解決するための手段】
本発明は上記目的を達成するために提案されたものであり、燃料タンクの内側に上下回動可能に配設されたアームであって、該アームの先端部にフロートを装着するとともに、該アームの基端部にアームの上下回動角を検出するセンサを設け、前記センサを取り付けた燃料タンクの第１の内側面に対して、前記アームが平面視で所定の傾斜角を有して配設された燃料残量検出装置、
及び、上記燃料タンクの第１の内側面と隣接する第２の内側面により形成される第１角部近傍に上記センサを固設し、該センサに取り付けたアームを略対角状に配設し、該アームが水平状態のときに、該アーム先端部のフロートが前記第１角部の対角線上の第２角部に近接するようにアームの長さを設定した燃料残量検出装置、
及び、上記センサを上記第１角部に近接して取り付け、上記アームを第１角部と第２角部の略対角線上に配設した燃料残量検出装置を提供するものである。
【０００８】
【発明の実施の形態】
以下、本発明の一実施の形態を図１乃至図３に従って詳述する。符号１１は縦長形状の燃料タンクを示し、該燃料タンク１１の第１の内側面１１ａの内側に可変抵抗器等からなる燃料センサ１２が固設されており、該燃料センサ１２にアーム１３を回動可能に装着するとともに、このアーム１３の先端にフロート１４を取り付けてある。後述するように、燃料の増減によりフロート１４が上下動して前記アーム１３が回動する。前記アーム１３の回動角度の変化が燃料センサ１２の抵抗値の変化となり、コントローラ１５は該抵抗値を検出して燃料タンク１１内の燃料残量を演算し、この演算結果を表示装置１６に表示するように構成されている。
【０００９】
そして、前記燃料センサは、燃料タンク１１の前記第１の内側面１１ａと隣接する第２の内側面１１ｂにより形成される第１角部１１ｃ近傍に固設され、該燃料センサ１２に取り付けられたアーム１３は、前記第１の内側面１１ａに対して、平面視で所定の傾斜角ηを有して略対角状に配設され、該アーム１３が水平状態のときに、該アーム１３の先端部に装着したフロート１４が前記第１角部１１ｃの対角線上の第２角部１１ｄに可及的に近接するように、前記アーム１３の長さが設定されている。
【００１０】
即ち、燃料の増減によるフロート１４の浮き沈みによって、前記アーム１３が上下回動するときに、該フロート１４が燃料タンク１１の内壁に干渉しない範囲で、アーム１３の長さを可及的に長くしてある。図５に示したように、従来型のアームは内側面に対して直角に配設されているため、燃料タンクの幅Ｌよりも長くはできないが、本発明に於けるアーム１３は内側面１１ａに対して所定の傾斜角ηを有しているので、燃料タンクの幅Ｌよりも長く形成できる。このため、前記アーム１３が上下回動する回動角度が従来と略同一であっても、フロート１４の上下移動範囲が長くなり、燃料残量の計測範囲が拡大される。
【００１１】
更に、前記燃料センサ１２を前記第１角部１１ｃに可及的に近接して取り付け、アーム１３の配置を前記第１角部１１ｃと第２角部１１ｄの対角線に近づけることにより、前記アーム１３の全長を最大限に長くすることができ、これによって、前記フロート１４の上下移動範囲が更に長くなり、燃料残量の計測範囲が最大限に拡大される。
【００１２】
尚、燃料センサ１２の取り付け姿勢は、図示したように、第１の内側面１１ａに対して傾斜角度ηを有して差し込まれた状態に固定されているが、特にこれに限定されるべきではなく、パイプ（図示せず）を第１の内側面１１ａに対して傾斜角度ηを有して差し込んでもよい。
【００１３】
斯くして、図１に示すように、燃料残量が最小のときは前記フロート１４が最低位置まで下降し、前記アーム１３が下方へ回動する。このときの燃料センサ１２が検出した抵抗値をコントローラ１５が演算し、燃料残量が最小であることを表示装置１６に表示する。一方、燃料残量が最大のときは前記フロート１４が最高位置まで上昇し、前記アーム１３が上方へ回動する。このときの燃料センサ１２が検出した抵抗値をコントローラ１５が演算し、燃料残量が最大であることを表示装置１６に表示する。
【００１４】
このように、前記アーム１３が長くなってフロート１４の移動量が拡大されたため、燃料残量が計測最小位置から計測最大位置までの広い範囲で正確に検出できるようになった。
【００１５】
尚、本発明は、本発明の精神を逸脱しない限り種々の改変を為すことができ、そして、本発明が該改変されたものに及ぶことは当然である。
【００１６】
【発明の効果】
本発明は上記一実施の形態に詳述したように、請求項１記載の発明は、センサを取り付けた燃料タンクの第１の内側面に対して、アームが平面視で所定の傾斜角を有して配設されているので、アームの長さを燃料タンクの幅よりも長くすることができる。このため、フロートの上下移動範囲が長くなり、燃料残量の計測範囲が拡大される。
【００１７】
請求項２記載の発明は、上記燃料タンクの第１の内側面と隣接する第２の内側面により形成される第１角部近傍に上記センサを固設し、該センサに取り付けたアームを略対角状に配設し、該アームが水平状態のときに、該アーム先端部のフロートが前記第１角部の対角線上の第２角部に近接するようにアームの長さを設定したので、請求項１記載の発明の効果に加えて、フロートの浮き沈みによって前記アームが上下回動するときに、該フロートが燃料タンクの内壁に干渉しない範囲で、アームの長さを可及的に長くすることができる。従って、フロートの上下移動範囲が更に長くなり、燃料残量の計測範囲がより一層拡大される。
【００１８】
請求項３記載の発明は、上記センサを上記第１角部に近接して取り付け、上記アームを第１角部と第２角部の略対角線上に配設したことにより、請求項１または２記載の発明の効果に加えて、前記フロートの上下移動範囲が更に長くなり、燃料残量の計測範囲を最大限に拡大できる。
【図面の簡単な説明】
【図１】本発明の一実施の形態を示し、縦長形状の燃料タンクに於ける燃料残量検出装置の縦断正面図。
【図２】本発明の一実施の形態を示し、縦長形状の燃料タンクに於ける燃料残量検出装置の横断平面図。
【図３】本発明の一実施の形態を示し、燃料センサ取り付け部分の拡大図。
【図４】従来技術を示し、一般的な建設機械の燃料残量検出装置の縦断正面図。
【図５】従来技術を示し、一般的な建設機械の燃料残量検出装置の横断平面図。
【符号の説明】
１１        燃料タンク
１１ａ      第１の内側面
１１ｂ      第２の内側面
１１ｃ      第１の内側面と第２の内側面により形成される第１角部
１１ｄ      第１角部の対角線上の第２角部
１２        燃料センサ
１３        アーム
１４        フロート
１５        コントローラ
１６        表示装置
【図１】
2004325081.tif 000003
【図２】
2004325081.tif 000004
【図３】
2004325081.tif 000005
【図４】
2004325081.tif 000006
【図５】
2004325081.tif 000007